(57)【特許請求の範囲】
【請求項１】
支持物が連結される連結部と、
前記連結部を第１軸及び前記第１軸と直交する第２軸を中心にそれぞれ回動自在に支持するヒンジ部と、
前記ヒンジ部の内部に配置され、前記連結部の第１軸を中心とする回動を検出する第１スイッチ及び前記連結部の第２軸を中心とする回動を検出する第２スイッチを有するヒンジ基板とを備え、
前記ヒンジ基板は、第１基板面に前記第１スイッチが配置され、前記第１基板面の反対面となる第２基板面に前記第２スイッチが配置されるヒンジユニット。
【請求項２】
請求項１に記載のヒンジユニットにおいて、
前記ヒンジ基板は、前記ヒンジ部の内部において、他の部材から遊離した状態で支持されるヒンジユニット。
【請求項３】
請求項１又は請求項２に記載のヒンジユニットにおいて、
前記ヒンジ基板は、第１係合部を有し、
前記ヒンジ基板の前記第１係合部と係合可能な第２係合部を有し、当該第２係合部に前記ヒンジ基板の前記第１係合部が係合することにより前記ヒンジ基板を支持するヒンジ基板ホルダを備えるヒンジユニット。
【請求項４】
請求項３に記載のヒンジユニットにおいて、
前記ヒンジ基板ホルダは、第３係合部を有し、
前記ヒンジ基板ホルダの前記第３係合部と係合可能な第４係合部を有し、当該第４係合部に前記ヒンジ基板ホルダの前記第３係合部が係合することにより前記ヒンジ基板ホルダを支持するホルダ部を備えるヒンジユニット。
【請求項５】
請求項４に記載のヒンジユニットにおいて、
前記ホルダ部は、第５係合部を有し、
前記ホルダ部の前記第５係合部と係合可能な第６係合部を有し、当該第６係合部に前記ホルダ部の前記第５係合部が係合することにより前記ホルダ部を支持するシャーシを備えるヒンジユニット。
【請求項６】
請求項５に記載のヒンジユニットにおいて、
前記ホルダ部は、
前記第１スイッチ及び第２スイッチから延出された第１ハーネスを固定する第１固定部と、
前記支持物から延出された第２ハーネスを固定する第２固定部と、
を備えるヒンジユニット。
【請求項７】
請求項６に記載のヒンジユニットにおいて、
前記シャーシは、第１孔部を有し、
前記ホルダ部は、前記第２固定部により固定された前記第２ハーネスの一部を屈曲させる屈曲部と、当該屈曲部の近傍に形成された第２孔部と、を有し、
前記ホルダ部及び前記シャーシの外側を覆うカバーを備え、
前記カバーは、ネジ孔部を有し、前記シャーシの第１孔部に挿入されたネジが前記ホルダ部の前記第２孔部を介して前記ネジ孔部と係合することにより前記ホルダ部及び前記シャーシと共に固定されるヒンジユニット。
【請求項８】
請求項５から請求項７のいずれか一項に記載のヒンジユニットにおいて、
前記シャーシが、前記ヒンジ部の外装部品であるヒンジユニット。
【請求項９】
請求項１から請求項８のいずれか一項に記載のヒンジユニットと、
当該ヒンジユニットにより回動自在に支持される支持物と、
を備える電子機器。
【請求項１０】
請求項９に記載の電子機器において、
前記支持物は、表示画面を備えたモニタである電子機器。
【発明の詳細な説明】
【技術分野】
【０００１】
本発明は、ヒンジユニット及び電子機器に関する。
【背景技術】
【０００２】
デジタルカメラ等の電子機器において、可動型の液晶モニタを備えた機種がある。この種の電子機器において、可動型の液晶モニタは、ヒンジユニットを介して機器本体と連結されている（例えば、特許文献１参照）。
【先行技術文献】
【特許文献】
【０００３】
【特許文献１】特開２００９−１２４７１０号公報
【発明の概要】
【発明が解決しようとする課題】
【０００４】
上記電子機器においては、携帯性を向上させるために更なる小型化が求められている。また、液晶モニタの表示画面をより大きくしたいという要望もある。しかし、機器本体を小型化すると、液晶モニタの表示画面を小さくせざるを得なくなる。一方、液晶モニタの表示画面を大きくすると、ボタンやダイアル等の操作部材を配置する領域に制約が生じる。このため、機器本体の外形寸法を大きくせざるを得なくなる。
【課題を解決するための手段】
【０００５】
請求項１に記載のヒンジユニットは、支持物が連結される連結部と、前記連結部を第１軸及び前記第１軸と直交する第２軸を中心にそれぞれ回動自在に支持するヒンジ部と、前記ヒンジ部の内部に配置され、前記連結部の第１軸を中心とする回動を検出する第１スイッチ及び前記連結部の第２軸を中心とする回動を検出する第２スイッチを有するヒンジ基板とを備え、前記ヒンジ基板は、第１基板面に前記第１スイッチが配置され、前記第１基板面の反対面となる第２基板面に前記第２スイッチが配置される。
【０００６】
請求項９に記載の電子機器は、請求項１から請求項８のいずれか一項に記載のヒンジユニットと、当該ヒンジユニットにより回動自在に支持される支持物と、を備える。
【図面の簡単な説明】
【０００７】
【図１】実施形態におけるカメラ１の背面側から見たときの斜視図である。
【図２】（ａ）〜（ｃ）は液晶モニタ６を回動させたときの様子を示す斜視図である。
【図３】カメラボディ２における液晶モニタ６及びヒンジユニット９の構成を示す斜視図である。
【図４】ヒンジユニット９の分解斜視図である。
【図５】（ａ）〜（ｃ）はヒンジ基板部２０の組み立て手順を示す分解斜視図である。
【図６】ヒンジ部１０、ヒンジ基板部２０及びメインホルダ３０の組み立て状態を示す分解斜視図である。
【図７】ヒンジ部１０、ヒンジ基板部２０、メインホルダ３０及びセンタカバー４０の組み立て状態を示す分解斜視図である。
【図８】組み立てられたヒンジユニット９の斜視図である。
【発明を実施するための形態】
【０００８】
以下、図面を参照して、本発明に係るヒンジユニットをデジタルカメラに適用した場合の実施形態について説明する。
なお、以下に示す図面には、説明と理解とを容易にするために、必要に応じてＸＹＺの直交座標系を設けた。この座標系では、撮影者が光軸Ａを水平として横長の画像を撮影する場合のカメラ位置（以下、正位置という）において、撮影者から見て左側に向かう方向をＸ軸のプラス方向とする。また、正位置において上側に向かう方向をＹ軸のプラス方向とする。更に、正位置において被写体に向かう方向をＺ軸のプラス方向とする。
【０００９】
図１は、本実施形態におけるカメラ１の背面側から見たときの斜視図である。図２（ａ）〜（ｃ）は、液晶モニタ６を回動させたときの様子を示す斜視図である。
【００１０】
本実施形態のカメラ１は、図１に示すように、カメラボディ２と、レンズ鏡筒３と、を備える。カメラ１は、カメラボディ２にレンズ鏡筒３が着脱自在に装着されるレンズ交換式のデジタルカメラとして構成されている。
【００１１】
レンズ鏡筒３は、結像光学系を構成するレンズ群（不図示）を備え、入射した被写体光をカメラボディ２の撮像部（不図示）に結像させる。
【００１２】
カメラボディ２は、撮像部と、カメラ制御部と、を備える（いずれも不図示）。撮像部は、レンズ鏡筒３により結像された光学的な被写体像を撮像し、電気信号に変換するイメージセンサである。撮像部により変換された電気信号は、記憶媒体（不図示）に画像情報として記憶される。なお、記憶媒体は、カメラボディ２に内蔵された記憶装置や、カメラボディ２に着脱自在に装着される記憶装置である。カメラ制御部は、カメラ１を構成する各要素を統括的に制御するマイクロプロセッサである。
【００１３】
カメラボディ２の上面には、表示パネル４、レリーズボタン５、及び撮影モードダイアルＤ１が設けられている。表示パネル４は、主に、撮影モード、絞り値、シャッタスピード等の撮影情報を表示する液晶表示装置である。レリーズボタン５及び撮影モードダイアルＤ１は、撮影者が操作する部材である。撮影者は、レリーズボタン５を操作することにより、カメラ制御部に対し撮影開始を指示することができる。また、撮影者は、撮影モードダイアルＤ１を操作することにより、撮影モードを選択することができる。
【００１４】
一方、カメラボディ２の背面側には、メインダイアルＤ２、セレクタダイアルＤ３、及び液晶モニタ６が設けられている。また、カメラボディ２の前面側には、不図示のサブダイアルが設けられている。メインダイアルＤ２、サブダイアル及びセレクタダイアルＤ３は、撮影者が操作する部材である。撮影者は、メインダイアルＤ２及びサブダイアルを操作することにより、カメラ制御部に対し絞り値、シャッタスピード値、露出補正値等を入力することができる。また、撮影者は、セレクタダイアルＤ３を操作することにより、液晶モニタ６に表示されたメニュー項目に対する操作（設定／変更）を行なうことができる。
【００１５】
その他、カメラボディ２には、ポップアップ式の閃光装置７、及び撮影者が被写体像を観察するためのファインダ８が設けられている。また、カメラボディ２には、カメラ１の電源をＯＮ又はＯＦＦするための電源スイッチ（不図示）が設けられている。
【００１６】
液晶モニタ６は、撮像部で撮影された画像（静止画、動画等）やメニュー画面を表示する液晶表示装置である。液晶モニタ６は、片側がヒンジユニット９により回動自在に支持されている。ヒンジユニット９は、カメラボディ２の背面側の左端に設けられている。ヒンジユニット９は、回転軸として、第１軸Ｓ１及び第２軸Ｓ２を有する。第１軸Ｓ１は、Ｙ軸のプラス方向と同じ方向に設定された軸である。第２軸Ｓ２は、第１軸Ｓ１と直交する方向（Ｘ軸方向）に設定された軸である。液晶モニタ６は、第１軸Ｓ１を中心として１８０°回動することができる。また、液晶モニタ６は、第２軸Ｓ２を中心として２７０°回動することができる。
【００１７】
次に、ヒンジユニット９による液晶モニタ６の回動について、図２を参照して説明する。図２（ａ）に示すように、カメラボディ２に収納された液晶モニタ６（図中、二点鎖線で示す）は、表示画面６ａがカメラボディ２の側に向いている。すなわち、液晶モニタ６をカメラボディ２に収納した状態においては、液晶モニタ６の平面カバー６ｂが撮影者の側を向いている。
【００１８】
カメラボディ２に収納された液晶モニタ６は、第１軸Ｓ１を中心として、矢印Ａ１の方向に１８０°の範囲で回動することができる。液晶モニタ６は、上記角度範囲であれば、任意の位置で止めることができる。図２（ａ）に示すように、液晶モニタ６を１８０°回動することにより、液晶モニタ６はカメラボディ２の左側に移動する（以下、適宜に「開き位置」という）。この状態において、液晶モニタ６（図中、実線で示す）の表示画面６ａは、撮影者の側を向く。
【００１９】
また、図２（ｂ）に示すように、カメラボディ２の左側に移動した液晶モニタ６は、第２軸Ｓ２を中心として２７０°の範囲で回動することができる。すなわち、図２（ｂ）に示すように、液晶モニタ６は、開き位置から第２軸Ｓ２を中心として、矢印Ａ２の方向に９０°の範囲、且つ矢印Ａ２方向に１８０°の範囲で回動することができる。液晶モニタ６は、上記角度範囲であれば、任意の位置で止めることができる。
【００２０】
撮影者は、液晶モニタ６を開き位置から第２軸Ｓ２を中心として矢印Ａ２の方向に９０°回動することにより、表示画面６ａを下向きにすることができる。撮影者は、この状態でカメラを頭上に差し上げることにより、ハイアングル撮影を行うことができる。
【００２１】
また、撮影者は、液晶モニタ６を開き位置から第２軸Ｓ２を中心として矢印Ａ３の方向に９０°回動することにより、表示画面６ａを上向きにすることができる。撮影者は、この状態でカメラ１を下方に降ろすことにより、ロウアングル撮影を行なうことができる。
【００２２】
更に、液晶モニタ６を開き位置から第２軸Ｓ２を中心として矢印Ａ３の方向に１８０°回動することにより、表示画面（図２（ｂ）では図示を省略）を裏返しにすることができる。撮影者は、この状態でレンズ鏡筒３を自分の方向に向けることにより、自分の画像を撮影することができる。なお、上述した撮影形態は一例であり、この例に限定されない。
【００２３】
また、図２（ｃ）に示すように、液晶モニタ６を開き位置から第２軸Ｓ２を中心として矢印Ａ３の方向に１８０°回動した状態において、更に第１軸Ｓ１を中心として矢印Ａ４の方向に１８０°回動させることにより、液晶モニタ６をカメラボディ２に収納することができる。この状態において、液晶モニタ６の表示画面６ａは、撮影者の側を向く。図２（ａ）又は（ｃ）に示すように、液晶モニタ６の表示画面６ａが撮影者の側を向いた状態において、撮影者は、例えば液晶モニタ６に表示された画像を見ながら静止画撮影やライブビュー撮影を行なうことができる。
【００２４】
次に、ヒンジユニット９の構造について説明する。図３は、カメラボディ２における液晶モニタ６及びヒンジユニット９の構成を示す斜視図である。図４は、ヒンジユニット９の分解斜視図である。図５（ａ）〜（ｃ）は、ヒンジ基板部２０の組み立て手順を示す分解斜視図である。図６は、ヒンジ部１０、ヒンジ基板部２０及びメインホルダ３０の組み立て状態を示す分解斜視図である。図７は、ヒンジ部１０、ヒンジ基板部２０、メインホルダ３０及びセンタカバー４０の組み立て状態を示す分解斜視図である。図８は、組み立てられたヒンジユニット９の斜視図である。
【００２５】
図３に示すように、ヒンジユニット９は、カメラボディ２の左側の端部に設けられている。ヒンジユニット９は、モニタ連結プレート１２（後述）が液晶モニタ６を回動自在に支持している。また、ヒンジユニット９は、ベースプレート１３（後述）において、カメラボディ２と連結されている。ヒンジユニット９の両端部は、サイドカバー２ａ、２ｂにより覆われている。サイドカバー２ａ、２ｂは、カメラボディ２と一体に形成されている。また、ヒンジユニット９の中央部は、後述するセンタカバー４０により覆われている。
【００２６】
図４に示すように、ヒンジユニット９は、ヒンジ部１０と、ヒンジ基板部２０と、メインホルダ３０と、センタカバー４０と、を備える。
【００２７】
まず、ヒンジ部１０の構成について説明する。ヒンジ部１０は、液晶モニタ（図３参照）を第１軸Ｓ１及び第２軸Ｓ２を中心にそれぞれ回動自在に支持する部分である。ヒンジ部１０は、シャーシ１１と、モニタ連結プレート１２と、ベースプレート１３，１４と、センタシャフト１５と、サイドシャフト１６，１７と、を備える。
【００２８】
シャーシ１１は、ヒンジ基板部２０及びメインホルダ３０を収納する部材である。また、シャーシ１１は、ヒンジ部１０の外装部品となる部材である。
【００２９】
シャーシ１１は、横長の箱枠形に形成されている。シャーシ１１は、支持部１１１及び１１２と、当接部１１３と、回動規制部１１４と、押圧片１１５と、凹部１１６と、を備える。また、シャーシ１１は、長手方向の中央部に、センタ軸孔（不図示）を備える。シャーシ１１のセンタ軸孔には、センタシャフト１５が連結されている。
【００３０】
シャーシ１１は、例えば、金属部材により作製することができる。その場合には、メタルインジェクションモールディング（ＭＩＭ）等の手法を用いることができる。なお、シャーシ１１において、図４に符号を付していない部分については、他の図面に符号を付して説明する。
【００３１】
モニタ連結プレート１２は、液晶モニタ６を支持する部材である。モニタ連結プレート１２の長手方向の中央部は、センタシャフト１５と連結されている。センタシャフト１５は、モニタ連結プレート１２と共に回動する。モニタ連結プレートは、例えば、金属部材により作製することができる。
【００３２】
センタシャフト１５は、シャーシ１１に対し、モニタ連結プレート１２を第２軸Ｓ２を中心に回動自在に支持する部品である。センタシャフト１５は、中空の円筒形状に形成された金属部材により構成される。センタシャフト１５は、中心部に貫通孔１５ａを有する。この貫通孔１５ａは、ハーネス７１〜７４（後述）を挿入する孔である。センタシャフト１５、シャーシ１１及びモニタ連結プレート１２は、ワッシャ、スペーサ、スリーブ等（符号省略）を介して連結されている。
【００３３】
シャーシ１１は、長手方向の両端に支持部１１１，１１２を有する。支持部１１１，１１２は、シャーシ１１の両端に形成された凸部であり、それぞれ軸孔（不図示）が形成されている。支持部１１１の軸孔には、サイドシャフト１６が回動自在に連結されている。支持部１１１には、後述する押圧片１１５が設けられている。また、支持部１１２の軸孔には、サイドシャフト１７が回動自在に連結されている。
【００３４】
サイドシャフト１６は、円筒形状に形成された金属部材により構成される。サイドシャフト１６の端部は、ベースプレート１３に回動自在に支持されている。サイドシャフト１７は、中空の円筒形状に形成された金属部材により構成される。サイドシャフト１７は、中心部に貫通孔１７ａを有する。この貫通孔１７ａは、ハーネス７４（後述）を挿入する孔である。サイドシャフト１７の端部は、ベースプレート１４に回動自在に支持されている。サイドシャフト１６，１７は、シャーシ１１を、第１軸Ｓ１を中心として回動自在に支持する部品である。
【００３５】
支持部１１１（シャーシ１１）、サイドシャフト１６、ベースプレート１３は、ワッシャ、スペーサ、スリーブ等（符号省略）を介して連結されている。同様に、支持部１１２（シャーシ１１）、サイドシャフト１７、ベースプレート１４は、ワッシャ、スペーサ、スリーブ等（符号省略）を介して連結されている。
【００３６】
凹部１１６は、シャーシ１１の側面に設けられた切り欠きである。凹部１１６は、図４において、上下（Ｚ軸方向）一対に設けられている。図４では、上側の凹部１１６のみを示す。凹部１１６は、メインホルダ３０（後述）のガイド部３２が係合する部分である。
【００３７】
ベースプレート１３及び１４は、カメラボディ２に設けられたベース取り付けブラケット（不図示）に連結されている。ベースプレート１３及び１４は、例えば、金属部材により作製することができる。ベースプレート１３及び１４は、サイドカバー２ａ、２ｂにより覆われる（図３参照）。
【００３８】
次に、シャーシ１１及びモニタ連結プレート１２の回り止め機構について説明する。
まず、シャーシ１１の回り止め機構について説明する。図４に示すように、シャーシ１１において、支持部１１２の根本部分には、当接部１１３が設けられている。当接部１１３は、平坦面を有する。
【００３９】
また、サイドシャフト１７において、ベースプレート１４と反対側となる端部には、回動規制部１７１ａ、１７１ｂ及び円弧部１７２が設けられている。回動規制部１７１ａ、１７１ｂは、平坦面を有する。円弧部１７２は、半円形の円弧面を有する。回動規制部１７１ａ、１７１ｂ及び円弧部１７２は、一つのプレート部品として構成される。回動規制部１７１ａ、１７１ｂ及び円弧部１７２は、図４に示す位置から回動しない。
【００４０】
図４において、シャーシ１１の当接部１１３と回動規制部１７１ａとは、互いの平坦面で当接している。この状態においては、シャーシ１１を、図中の矢印Ｂ１の方向に回動させる力が加わっても、当接部１１３は、回動規制部１７１ａにより回動が規制される。このため、シャーシ１１は、図４に示す位置から、更に矢印Ｂ１の方向に回動しない。
【００４１】
一方、図４において、シャーシ１１を、図中の矢印Ｂ２の方向に回動させる力が加わると、当接部１１３は、回動規制部１７１ａから離れ、円弧部１７２と当接しながら、矢印Ｂ２の方向に回動する。更に、シャーシ１１を同方向に回動させると、当接部１１３と回動規制部１７１ｂとが、互いの平坦面で当接する。この状態において、シャーシ１１を、更に矢印Ｂ２の方向に回動させる力が加わっても、当接部１１３は、回動規制部１７１ｂにより回動が規制される。このため、シャーシ１１は、当接部１１３と回動規制部１７１ｂとが当接した位置から、更に矢印Ｂ２の方向に回動しない。従って、モニタ連結プレート１２を介してシャーシ１１に連結された液晶モニタ６は、図２（ａ）に示すように、第１軸Ｓ１を中心として１８０°の範囲で回動することができる。
【００４２】
続いて、モニタ連結プレート１２の回り止め機構について説明する。図４に示すように、シャーシ１１の長手方向における略中央部には、回動規制部１１４が設けられている。回動規制部１１４は、図４の上面側と下面側に、それぞれ当接面１１４ａ，１１４ｂを有する。回動規制部１１４は、シャーシ１１において、図４に示す位置に固定されている。
【００４３】
また、センタシャフト１５において、モニタ連結プレート１２と反対側となる端部には、当接片１５１が設けられている。当接片１５１は、センタシャフト１５の軸方向に突出した凸形状を有する。当接片１５１は、センタシャフト１５と共に回動する。センタシャフト１５は、モニタ連結プレート１２と連結されている。従って、当接片１５１は、モニタ連結プレート１２と共に回動する。当接片１５１は、モニタ連結プレート１２が第２軸Ｓ２を中心として回動した際の回り止め部材として機能する。また、当接片１５１は、モニタ連結プレート１２が第２軸Ｓ２を中心として回動した際の角度を検出する部材としても機能する。
【００４４】
以下、図２（ｂ）に示すように、液晶モニタ６が第１軸Ｓ１を中心として１８０°回動した位置（開き位置）にある場合を例に説明する。
【００４５】
モニタ連結プレート１２を、図２（ｂ）に示す開き位置から、第２軸Ｓ２を中心として矢印Ａ２の方向（図４参照）に回転させると、センタシャフト１５に設けられた当接片１５１は、モニタ連結プレート１２と共に矢印Ａ２の方向に回動する。そして、モニタ連結プレート１２が、図２（ｂ）に示す開き位置から、第２軸Ｓ２を中心として矢印Ａ２の方向に９０°回動すると、当接片１５１は、回動規制部１１４の当接面１１４ｂに当接する。この状態において、モニタ連結プレート１２を、更に矢印Ａ２の方向に回動させる力が加わっても、当接片１５１は、回動規制部１１４の当接面１１４ｂにより回動が規制される。このため、モニタ連結プレート１２に連結された液晶モニタ６は、更に矢印Ａ２の方向に回動しない。
【００４６】
一方、モニタ連結プレート１２を、図２（ｂ）に示す開き位置から、第２軸Ｓ２を中心として矢印Ａ３の方向（図４参照）に回転すると、センタシャフト１５に設けられた当接片１５１は、モニタ連結プレート１２と共に矢印Ａ３の方向に回動する。そして、モニタ連結プレート１２が、図２（ｂ）に示す開き位置から、第２軸Ｓ２を中心として矢印Ａ３の方向に１８０度回動すると、当接片１５１は、回動規制部１１４の当接面１１４ａに当接する。この状態において、モニタ連結プレート１２を、更に矢印Ａ３の方向に回動させる力が加わっても、当接片１５１は、回動規制部１１４の当接面１１４ａにより回動が規制される。このため、モニタ連結プレート１２と連結された液晶モニタ６は、更に矢印Ａ３の方向に回動しない。
【００４７】
上述した回り止め機構を備えることにより、液晶モニタ６は、図２（ｂ）に示すように、開き位置から第２軸Ｓ２を中心として矢印Ａ１の方向に９０°の範囲で回動することができる。また、液晶モニタ６は、図２（ｂ）に示すように、矢印Ａ２の方向に１８０°の範囲で回動することができる。
【００４８】
次に、液晶モニタ６の第１軸Ｓ１及び第２軸Ｓ２を中心とする回動を検出する機構について説明する。
【００４９】
図４に示すように、シャーシ１１の支持部１１１は、押圧片１１５を備える。押圧片１１５は、シャーシ１１の内側に向けて突出した凸形状を有する。押圧片１１５は、シャーシ１１と共に回動する。シャーシ１１が第１軸Ｓ１を中心として回動すると、押圧片１１５も第１軸Ｓ１を中心として回動する。ヒンジ基板部２０がシャーシ１１に収納された状態（図７参照）において、シャーシ１１が設定角度の範囲を超えて回動すると、押圧片１１５が第１スイッチ５０（後述）のスイッチ片５１を押圧する。第１スイッチ５０は、スイッチ片５１が押圧されると、カメラ制御部（不図示）に第１検出信号を出力する。カメラ制御部は、第１検出信号を受信すると、液晶モニタ６のカメラボディ２に対する角度が設定角度の範囲を超えたと判断する。また、カメラ制御部は、第１検出信号を受信しなければ、液晶モニタ６のカメラボディ２に対する角度が設定角度の範囲内であると判断する。このように、カメラ制御部は、第１スイッチ５０から出力される第１検出信号に基づいて、液晶モニタ６の第１軸Ｓ１を中心とする回動角度を判断することができる。カメラ制御部は、液晶モニタ６の第１軸Ｓ１を中心とする回動角度に応じて、液晶モニタ６の表示内容を変更する等の制御を行う。
【００５０】
一方、上述したように、モニタ連結プレート１２が第２軸Ｓ２を中心として回動すると、センタシャフト１５に設けられた当接片１５１も第２軸Ｓ２を中心として回動する。ヒンジ基板部２０がシャーシ１１に収納された状態（図７参照）において、モニタ連結プレート１２が設定角度の範囲を超えて回動すると、当接片１５１が第２スイッチ６０（後述）のスイッチ片６１を押圧する。第２スイッチ６０は、スイッチ片６１が押圧されると、カメラ制御部（不図示）に第２検出信号を出力する。カメラ制御部は、第２検出信号を受信すると、液晶モニタ６のシャーシ１１に対する角度が設定角度の範囲を超えたと判断する。また、カメラ制御部は、第２検出信号を受信しなければ、液晶モニタ６のシャーシ１１に対する角度が設定角度の範囲内であると判断する。カメラ制御部は、第２スイッチ６０から出力される第２検出信号に基づいて、液晶モニタ６の第２軸Ｓ２回りの回動角度を判断することができる。カメラ制御部は、液晶モニタ６の第２軸Ｓ２を中心とする回動角度に応じて、液晶モニタ６の表示内容を変更する等の制御を行う。
【００５１】
次に、ヒンジ基板部２０及びメインホルダ３０の構成と組み立てについて、図５（ａ）〜（ｄ）を参照して説明する。
図５（ａ）に示すように、ヒンジ基板部２０は、ヒンジ基板２１と、ヒンジ基板ホルダ２２と、を備える。ヒンジ基板２１は、第１スイッチ５０及び第２スイッチ６０を備えた回路基板である。
【００５２】
第１スイッチ５０は、ヒンジ基板２１の一方の基板面（以下、「第１基板面」という）に配置されている。第２スイッチ６０は、ヒンジ基板２１の他方の基板面（以下、「第２基板面」という）に配置されている。なお、「第１基板面」と「第２基板面」とは、互いに反対側となる基板面である。
【００５３】
ヒンジ基板２１は、基板本体の両側面（Ｚ軸方向）に、凸部２１１を有する。凸部２１１は、後述するヒンジ基板ホルダ２２のスリット部２２２と係合する部分である。
【００５４】
第１スイッチ５０は、液晶モニタ６の第１軸Ｓ１を中心とした回動を検出する電子部品である。第１スイッチ５０は、側面にスイッチ片５１を有する。スイッチ片５１は、第１スイッチ５０の状態（ＯＮ／ＯＦＦ）を切り換える部品である。ヒンジ基板部２０がシャーシ１１に収納された状態（図７参照）において、シャーシ１１が設定角度の範囲を超えて回動すると、シャーシ１１の支持部１１１に設けられた押圧片１１５が第１スイッチ５０のスイッチ片５１を押圧する。第１スイッチ５０は、スイッチ片５１が押圧されるとＯＮ状態となり、カメラ制御部（不図示）に第１検出信号を出力する。
【００５５】
第２スイッチ６０は、液晶モニタ６の第２軸Ｓ２を中心とした回動を検出する電子部品である。第２スイッチ６０は、側面にスイッチ片６１を有する。スイッチ片６１は、第２スイッチ６０の状態（ＯＮ／ＯＦＦ）を切り換える部品である。ヒンジ基板部２０がシャーシ１１に収納された状態（図７参照）において、モニタ連結プレート１２が設定角度の範囲を超えて回動すると、センタシャフト１５に設けられた当接片１５１が第２スイッチ６０のスイッチ片６１を押圧する。第２スイッチ６０は、スイッチ片６１が押圧されるとＯＮ状態となり、カメラ制御部に第２検出信号を出力する。
【００５６】
第１スイッチ５０には、信号伝達用のハーネス７１が接続されている。第２スイッチ６０には、信号伝達用のハーネス７２が接続されている。また、第１スイッチ５０及び第２スイッチ６０には、アース用のハーネス７３が共通に接続されている。ハーネス７１〜７３は、スイッチ用ハーネスである。
【００５７】
図５（ａ）に示すように、ヒンジ基板ホルダ２２は、凹形状に形成された部品である。ヒンジ基板ホルダ２２は、両側端に側壁部２２１を有する。そして、ヒンジ基板ホルダ２２は、それぞれの側壁部２２１の略中間部にスリット部２２２を有する。更に、ヒンジ基板ホルダ２２は、それぞれのスリット部２２２の開口端に凹部２２３を有する。また、ヒンジ基板ホルダ２２は、ネジ孔２２４を有する。ネジ孔２２４は、ヒンジ基板ホルダ２２をシャーシ１１に固定する際に用いる。ヒンジ基板ホルダ２２は、例えば、金属部材により作製することができる。
【００５８】
図５（ａ）に示すように、ヒンジ基板ホルダ２２のスリット部２２２に、ヒンジ基板２１の凸部２１１を挿入すると、ヒンジ基板ホルダ２２のスリット部２２２とヒンジ基板２１の凸部２１１とが係合する。このように、ヒンジ基板ホルダ２２のスリット部２２２に、ヒンジ基板２１の凸部２１１を挿入することにより、ヒンジ基板２１をヒンジ基板ホルダ２２に装着することができる。ヒンジ基板２１をヒンジ基板ホルダ２２に装着することによりヒンジ基板部２０が完成する。
【００５９】
なお、ヒンジ基板２１をヒンジ基板ホルダ２２に装着した状態において、ヒンジ基板２１は、ヒンジ基板ホルダ２２の内部において、他の部材から遊離した状態で支持される。
【００６０】
図５（ｂ）に示すメインホルダ３０は、ヒンジ基板部２０を支持する部品である。メインホルダ３０は、凸部３１と、ガイド部３２と、ハーネス固定部３３と、貫通孔３４と、ボス挿入部３５と、ハーネスフック３６と、ハーネスガイド３７と、を備える。メインホルダ３０は、例えば、樹脂部材により作製することができる。
【００６１】
凸部３１は、ヒンジ基板ホルダ２２の凹部２２３と係合する部分である。凸部３１は、図５（ｂ）において、上下（Ｚ軸方向）一対に設けられている。図５（ｂ）では、上側の凸部３１のみを示す。
【００６２】
ガイド部３２は、シャーシ１１の凹部１１６と係合する部分である。ガイド部３２は、図５（ｂ）において、上下（Ｚ軸方向）一対に設けられている。
ハーネス固定部３３は、ハーネス７１〜７３を固定する部分である。ハーネス固定部３３は、細長い３つのスリットを有する。各スリットには、ハーネス７１〜７３をそれぞれ嵌め込むことができる。
【００６３】
貫通孔３４は、ハーネス７１〜７３及びハーネス７４（後述）を挿入する孔である。貫通孔３４は、メインホルダ３０の略中間部に設けられている。
ボス挿入部３５は、円柱形の切り欠きである。ボス挿入部３５の底部には、取付け孔３８が設けられている。ボス挿入部３５には、センタカバー４０に設けられたボス４１（後述）が嵌合する。
【００６４】
ハーネスフック３６は、液晶モニタ６から延ばされたハーネス７４（図７参照）を係止する部分である。また、ハーネスガイド３７は、ハーネス７４をメインホルダ３０の外側に案内するＵ字形のスリットである。
【００６５】
図５（ｂ）に示すように、ヒンジ基板部２０は、メインホルダ３０の内側に装着される。このとき、図５（ｃ）に示すように、ハーネス７１〜７３を、ハーネス固定部３３のそれぞれのスリットに嵌め込む。これにより、ハーネス７１〜７３を、ハーネス固定部３３に固定することができる。更に、ハーネス７１〜７３を、メインホルダ３０の貫通孔３４に挿入する。これにより、ハーネス７１〜７３を、メインホルダ３０の表側（図５の手前側）から裏側に引き出すことができる。
【００６６】
更に、図５（ｃ）に示すように、メインホルダ３０に対し、ヒンジ基板部２０を矢印Ｃ方向に移動する。ヒンジ基板部２０がメインホルダ３０の端部まで移動すると、図５（ｄ）に示すように、メインホルダ３０の凸部３１と、ヒンジ基板ホルダ２２の凹部２２３とが係合する。これにより、メインホルダ３０にヒンジ基板部２０を固定することができる。以下の説明において、ヒンジ基板部２０を備えたメインホルダ３０を「メインホルダ３０Ａ」という。
【００６７】
なお、メインホルダ３０にヒンジ基板部２０を固定した後に、ハーネス７１〜７３をハーネス固定部３３へ嵌め込み、更に貫通孔３４へ挿入する作業を行ってもよい。
【００６８】
次に、ヒンジ部１０及びメインホルダ３０Ａの組み立てについて、図６を参照して説明する。
図６に示すように、メインホルダ３０Ａの裏側と、ヒンジ部１０のシャーシ１１とが向かい合うように配置して、メインホルダ３０Ａをヒンジ部１０のシャーシ１１に嵌め込む。この嵌め込みの際に、メインホルダ３０Ａの裏側に引き出されたハーネス７１〜７３を、センタシャフト１５の貫通孔１５ａに挿入する。
【００６９】
メインホルダ３０Ａをヒンジ部１０のシャーシ１１に嵌め込むと、メインホルダ３０Ａのガイド部３２とシャーシ１１の凹部１１６とが係合する（図７参照）。このように、メインホルダ３０Ａをヒンジ部１０のシャーシ１１に嵌め込むことにより、メインホルダ３０Ａをシャーシ１１の正しい位置に装着できる。
【００７０】
更に、シャーシ１１の側壁に設けられた取付け孔１１８にネジ１０１を挿入し、メインホルダ３０Ａ側に設けられたネジ孔（不図示）にねじ込む。同様に、シャーシ１１の側壁に設けられた取付け孔１１９にネジ１０２を挿入し、ヒンジ基板ホルダ２２（メインホルダ３０Ａ）のネジ孔２２４にねじ込む。これにより、メインホルダ３０Ａをシャーシ１１に固定することができる。上記ねじ込み作業においては、モニタ連結プレート１２を図６の位置から約９０度程度回動させることにより、ネジ１０１，１０２をシャーシ１１の裏側からねじ込むことができる。
【００７１】
なお、図６において、シャーシ１１の側壁に設けられた取付け孔１２０は、シャーシ１１にセンタカバー４０を取り付ける際に、ネジ１０３（後述）を挿入する孔である。
また、メインホルダ３０Ａをシャーシ１１に固定する際（又は固定した後）に、液晶モニタ６から延ばされたハーネス７４を、メインホルダ３０Ａに固定する。ハーネス７４の固定については後述する。
【００７２】
次に、メインホルダ３０Ａを備えたヒンジ部１０とセンタカバー４０との組み立てについて、図７を参照して説明する。
まず、ハーネス７４の固定について説明する。
ハーネス７４は、複数の信号線を束ねて、外装を被覆したケーブルである。ハーネス７４は、液晶モニタ６とカメラボディ２に設けられた駆動回路及び電源回路（不図示）との間を接続する。すなわち、ハーネス７４は、液晶モニタ６の制御用のハーネスである。
【００７３】
図７において、液晶モニタ６から延ばされたハーネス７４は、センタシャフト１５の貫通孔１５ａ（図４参照）からシャーシ１１の表側（図７の手前側）に引き出される。そして、ハーネス７４は、メインホルダ３０Ａの貫通孔３４からメインホルダ３０Ａの表側（図７の手前側）に引き出される。続いて、ハーネス７４は、ハーネスフック３６の側に曲げられ、ハーネスフック３６に引っ掛けられる。そして、ハーネス７４は、ハーネスガイド３７に挿入される。これにより、ハーネス７４をメインホルダ３０Ａに固定することができる。
【００７４】
ハーネス７４をハーネスフック３６に引っ掛け、ハーネスガイド３７に挿入すると、ハーネス７４は、ボス挿入部３５を避けるように屈曲した状態で固定される。このような構成とすることにより、ハーネス７４が屈曲した部分に、センタカバー４０を取り付けるためのボス挿入部３５を設けることができる。
【００７５】
更に、ハーネス７４は、サイドシャフト１７の貫通孔１７ａに挿入され、ベースプレート１４の外部に引き出される。そして、ハーネス７４は、カメラボディ２に設けられた貫通孔（不図示）に挿入され、カメラボディ２の内部に引き込まれる。なお、先に説明したように、ヒンジユニット９の両端部は、サイドカバー２ａ、２ｂに覆われる。このため、ヒンジ部１０から引き出されたハーネス７４が、カメラボディ２の外部に露出することはない。
【００７６】
次に、センタカバー４０の取り付けについて説明する。
図７に示すように、シャーシ１１において、支持部１１１，１１２の根本部分には、凸部１２１，１２２がそれぞれ設けられている。凸部１２１，１２２は、図７において、上下（Ｚ軸方向）一対に設けられている。図７では、手前側の凸部１２１，１２２のみ示す。
【００７７】
センタカバー４０は、断面が略Ｕ字形に形成された部品である。センタカバー４０の内側には、円柱形状のボス４１が設けられている。ボス４１には、ネジ孔４２が形成されている。ボス４１は、メインホルダ３０Ａのボス挿入部３５と嵌合可能な形状を有する。
【００７８】
また、センタカバー４０の長手方向の両端部には、凹部４３が設けられている。凹部４３は、シャーシ１１の凸部１２１，１２２と係合する部分である。凹部４３は、図７において、上下（Ｚ軸方向）一対に設けられている。図７では、センタカバー４０の手前側において、上下一対に設けられた凹部４３のみを示す。
【００７９】
図７に示すように、センタカバー４０のボス４１とヒンジ部１０のシャーシ１１とが向かい合うように配置して、センタカバー４０をヒンジ部１０のシャーシ１１に嵌め込む。センタカバー４０をヒンジ部１０のシャーシ１１に嵌め込むと、図８に示すように、センタカバー４０の凹部４３と、シャーシ１１側の凸部１２１（１２２）とが係合する。これにより、センタカバー４０をシャーシ１１に装着することができる。
【００８０】
また、センタカバー４０をヒンジ部１０のシャーシ１１に嵌め込むと、センタカバー４０のボス４１がメインホルダ３０Ａのボス挿入部３５と嵌合する。この状態で、シャーシ１１の側壁に設けられた取付け孔１２０（図６参照）にネジ１０３を挿入し（図７参照）、ボス４１（センタカバー４０）のネジ孔４２にねじ込む。これにより、センタカバー４０をシャーシ１１に固定することができる。上記ねじ込み作業においては、液晶モニタ６を図７の位置から約９０度程度回動させることにより、ネジ１０３をシャーシ１１の裏側からねじ込むことができる。
【００８１】
上記のように組み立てられたヒンジユニット９は、図３に示すように、カメラボディ２に取り付けられる。図３に示すように、ヒンジユニット９の両端部は、サイドカバー２ａ，２ｂにより覆われる。カメラボディ２に取り付けられたヒンジユニット９は、センタカバー４０、及びサイドカバー２ａ，２ｂにより覆われる。液晶モニタ６が第１軸Ｓ１を中心として回動したときには、センタカバー４０もシャーシ１１と共に回動するため、ヒンジ部１０の内部構造が露出することがない。
【００８２】
上述した実施形態によれば、以下の効果を奏する。
（１）本実施形態のヒンジユニット９は、ヒンジ部１０の内部に、第１スイッチ５０及び第２スイッチ６０を有するヒンジ基板２１が配置される。この構成によれば、ヒンジ基板２１が１枚で済むため、スイッチ毎にヒンジ基板を配置する構成に比べて、ヒンジ基板の数を減らすことができる。この結果、減らしたヒンジ基板の厚み分だけ、ヒンジユニット９の厚みｔ（図３参照）を少なくできる。このため、液晶モニタ６を小さくすることなしに、カメラボディ２を小型化できる。他方、カメラボディ２を大きくしたり、操作部材を配置する領域に制約を生じさせたりすることなしに、液晶モニタ６を大型化できる。従って、本実施形態のヒンジユニット９によれば、カメラボディ２の操作性を損なうことなしに、カメラボディ２に対し液晶モニタ６を適切にレイアウトできる。
【００８３】
また、第１スイッチ５０又は第２スイッチ６０に不具合が生じた場合でも、一つのヒンジ基板２１のみを検査すればよいため、検査時間を短縮できる。更に、第１スイッチ５０及び第２スイッチ６０が破損した場合に、一つのヒンジ基板２１のみを交換すればよいため、修理時間を短縮できる。
【００８４】
（２）本実施形態のヒンジユニット９は、ヒンジ基板２１が、ヒンジ部１０の内部において、他の部材から遊離した状態で支持される。このため、第１スイッチ５０及び第２スイッチ６０の各スイッチ片を押圧する部材（例えば、押圧片１１５、当接片１５１）の配置や組み合わせに自由度を持たせることができる。
【００８５】
（３）本実施形態のヒンジユニット９は、ヒンジ基板ホルダ２２のスリット部２２２とヒンジ基板２１の凸部２１１との係合により、ヒンジ基板２１がヒンジ基板ホルダ２２に支持される。これによれば、ヒンジ基板ホルダ２２において、ネジ等の部品を用いることなくヒンジ基板２１を支持できる。このため、部品点数を削減できる。また、ヒンジ基板部２０の組み立てが簡素化されるため、作業時間を短縮できる。
【００８６】
（４）本実施形態のヒンジユニット９は、ヒンジ基板２１において、第１基板面に第１スイッチ５０が配置され、第１基板面の反対面となる第２基板面に第２スイッチ６０が配置される。これによれば、シャーシ１１の内部において、デットスペースを有効に利用できる。従って、ヒンジ部１０の内部において、部品の配置をより高密度化できる。
【００８７】
（５）本実施形態のヒンジユニット９は、ヒンジ基板ホルダ２２の凹部２２３と、メインホルダ３０の凹部２２３とが係合することによりヒンジ基板ホルダ２２が支持される。これによれば、メインホルダ３０において、ネジ等の部品を用いることなくヒンジ基板ホルダ２２を支持できる。このため、部品点数を削減できる。また、メインホルダ３０の組み立てが簡素化されるため、作業時間を短縮できる。
【００８８】
（６）本実施形態のヒンジユニット９は、メインホルダ３０のガイド部３２と、シャーシ１１の凹部１１６との係合により、メインホルダ３０がシャーシ１１に支持される。これによれば、メインホルダ３０をシャーシ１１に嵌め込むだけで、メインホルダ３０をシャーシ１１の正しい位置に装着できる。このため、シャーシ１１におけるメインホルダ３０の位置精度を高めることができる。また、メインホルダ３０とシャーシ１１との組み立てが簡素化されるため、作業時間を短縮できる。
【００８９】
（７）本実施形態のヒンジユニット９は、メインホルダ３０において、ハーネス７１〜７３を固定するハーネス固定部３３と、ハーネス７４を固定するハーネスフック３６とを備える。このため、メインホルダ３０において、ハーネス７１〜７３及びハーネス７４を一括して固定できる。
【００９０】
本実施形態のハーネス固定部３３は、複数のスリットにハーネス７１〜７３を嵌め込むだけで、ハーネス７１〜７３を固定することができる。また、ハーネスフック３６は、ハーネス７４を引っ掛けるだけでハーネス７４を固定できる。これによれば、各ハーネスを固定する作業が簡素化されるため、作業時間を短縮できる。
【００９１】
（８）本実施形態のヒンジユニット９は、メインホルダ３０及びシャーシ１１の外側を覆うセンタカバー４０を備える。センタカバー４０は、メインホルダ３０及びシャーシ１１と共にねじ止めされる。このため、複数の部品を組み合わせてカバーとする構成に比べて、部品点数を削減できる。また、センタカバー４０の組み立てが簡素化されるため、作業時間を短縮できる。
【００９２】
また、本実施形態では、ヒンジ基板２１の第１基板面に第１スイッチ５０を配置し、第２基板面に第２スイッチ６０を配置した。このため、シャーシ１１の内部において、デットスペースを有効に利用できる。一例として、本実施形態では、第１スイッチ５０及び第２スイッチ６０を有するヒンジ基板２１を、メインホルダ３０の端部に配置した。このため、メインホルダ３０において、ハーネス７４を屈曲した状態で引き回すスペースを確保できる。
【００９３】
（９）本実施形態のヒンジユニット９は、シャーシ１１がヒンジ部１０の外装部品となる。このため、センタカバー４０と対になるカバーとを設ける構成と比べて、カバーの数を減らすことができる。この結果、減らしたカバーの厚み分だけ、ヒンジユニット９の厚みｔを更に少なくできる。
【００９４】
（変形形態）
以上説明した実施形態に限定されることなく、本発明は以下に示すような種々の変形や変更が可能であり、それらも本発明の範囲内である。
【００９５】
本実施形態において、ヒンジ基板２１は、第１基板面に第１スイッチ５０が配置され、第２基板面に第２スイッチ６０が配置される。しかし、第１スイッチ５０及び第２スイッチ６０の配置は、この例に限定されない。例えば、ヒンジ基板２１の第１基板面に第１スイッチ５０及び第２スイッチ６０を配置した構成としてもよい。また、ヒンジ基板２１の第２基板面に第１スイッチ５０及び第２スイッチ６０を配置した構成としてもよい。
【００９６】
本実施形態において、ヒンジ基板２１の凸部２１１は、ヒンジ基板ホルダ２２のスリット部２２２に挿入される（図５（ａ）参照）。しかし、ヒンジ基板２１及びヒンジ基板ホルダ２２の構成は、この例に限定されない。例えば、ヒンジ基板ホルダ２２の側壁部２２１に矩形の開口部を形成し、この開口部にヒンジ基板２１の凸部２１１を係合させる構成としてもよい。
【００９７】
本実施形態において、メインホルダ３０Ａのガイド部３２は、シャーシ１１の凹部１１６と係合する（図６参照）。しかし、メインホルダ３０Ａとガイド部３２の構成は、この例に限定されない。例えば、シャーシ１１の凹部１１６の代わりに、矩形の開口部を形成し、この開口部にメインホルダ３０Ａのガイド部３２を係合させる構成としてもよい。また、メインホルダ３０Ａに凹部１１６を設け、シャーシ１１にガイド部３２を設けた構成としてもよい。
【００９８】
本実施形態は、本発明に係るヒンジユニットをデジタルカメラに適用した例について説明した。しかし、本発明の適用は、この例に限定されない。例えば、液晶モニタを備えたビデオカメラや携帯電話にも適用することができる。すなわち、本発明に係るヒンジユニットは、液晶モニタ等の支持物を備えた電子機器に適用することができる。
【００９９】
また、上記実施形態及び変形形態は適宜に組み合わせて用いることができるが、各実施形態の構成は図示と説明により明らかであるため、詳細な説明を省略する。更に、本発明は以上説明した実施形態によって限定されることはない。
【符号の説明】
【０１００】
１：カメラ、２：カメラボディ、６：液晶モニタ、９：ヒンジユニット、１０：ヒンジ部、１１：シャーシ、１２：モニタ連結プレート、２０：ヒンジ基板部、２１：ヒンジ基板、２２：ヒンジ基板ホルダ、３３：ハーネス固定部、３６：ハーネスフック、５０：第１スイッチ、６０：第２スイッチ、４０：センタカバー、７１，７２，７３，７４：ハーネス
【図１】
0005754213.tif 000002
【図２】
0005754213.tif 000003
【図３】
0005754213.tif 000004
【図４】
0005754213.tif 000005
【図５】
0005754213.tif 000006
【図６】
0005754213.tif 000007
【図７】
0005754213.tif 000008
【図８】
0005754213.tif 000009